(57)【特許請求の範囲】
【請求項１】
熱及び騒音発生源（１）の熱遮蔽及び騒音遮蔽のための遮音機能を備える熱シールドであって、
熱及び騒音発生源（１）に面する側に、支持下部層（３）を支持する断熱シート（２）を有し、
前記下部支持層（３）は、前記断熱シート（２）と当該支持下部層（３）との間に所定の空隙（５）が存するように配置されており、
熱及び騒音発生源（１）に面する前記支持下部層（３）に取り付けられた音響吸収層（４）は、熱及び騒音発生源（１）に面する側に配置されており、
前記支持下部層（３）は、熱及び騒音発生源（１）により放射された騒音が初めに吸収され、多量の熱が前記音響吸収層（４）及び前記下部支持層（３）を通過するように、網又は穴のあいた箔で形成されていることを特徴とする遮音機能を備える熱シールド。
【請求項２】
前記断熱シート（２）が、１層又は２層以上のアルミニウムのシート又は箔で形成されていることを特徴とする請求項１記載の遮音機能を備える熱シールド。
【請求項３】
前記断熱シート（２）が、熱及び騒音発生源（１）に面する側に反射特性を有していることを特徴とする請求項１又は２記載の遮音機能を備える熱シールド。
【請求項４】
前記支持下部層（３）は、穴のあいた金属箔、特に穴のあいた厚さ約０．２ｍｍのアルミニウム箔で形成されていることを特徴とする請求項１から３の何れかに記載の遮音機能を備える熱シールド。
【請求項５】
前記音響吸収層（４）が、有機及び／又は無機の材料で構成された繊維フェルト材料で形成されていることを特徴とする請求項１から４の何れかに記載の遮音機能を備える熱シールド。
【請求項６】
前記支持下部層（３）は、前記断熱シート（２）に取り外し自在に取り付けられていることを特徴とする請求項１から５の何れかに記載の遮音機能を備える熱シールド。
【請求項７】
前記断熱シート（２）と前記支持下部層（３）との接続は、断熱シート（２）のビード（６）によって形成されており、前記下部支持層（３）は、前記ビード（６）にクランプされ固定されていることを特徴とする請求項１から６の何れかに記載の遮音機能を備える熱シールド。
【発明の詳細な説明】
【０００１】
【発明の属する技術分野】
本発明は、遮音機能を備える熱シールドに関する。
【０００２】
【従来の技術】
従来、この種の熱シールドは、例えば、自動車の排気マフラー（触媒ユニットのような排気システムの他の高温熱伝部と共に、）と自動車本体との間のシールドを提供するのに使用され、それによって自動車の車体に当たる相当量の放射熱を遮断すると同時に、遮音効果を付与する。
【０００３】
この技術分野では、熱源上方（例えば、前記排気パイプと車両本体との間）の位置に、熱源（例えば、排気パイプ）に近接して配置された熱シールドとしてアルミニウムシートを使用することが知られている。このようなシールドは、３次元曲面形状、例えば、一般に筒状のセグメント形状を有し得る。更に、このシートは、波形とされたり、織り込まれたりされることもある。この種のアルミニウムシートは、断熱性は良好であるが、その遮音性能は不十分であるという欠点がある。
【０００４】
更に、断熱シートの裏面に設けられた無機発泡体（mineral foam）の形態にして遮音部材を設けることが知られており、それによって特定レベルの遮音を得るために、そのシールドは、適した穴が開けられている。
【０００５】
しかしながら、このような装置は、放射された熱の殆どが、前記穴を通ることができるので、前記穴が断熱性能の殆どを犠牲にしてしまうという不具合を有している。更に都合の悪いことに、前記シールドシートの裏面に設けられている遮音部材は、遮音性能が低い。
【０００６】
また、無機発泡体のような無機材料でなる遮音層をアルミニウムシートの内側、即ち、熱源に面する側に設けたものが知られている。
【０００７】
これには、無機遮音材にかかる熱ストレスが、実質的に増加し、前記金属シールドシートが、放射熱源の方へもはや十分な熱を反射することができないという欠点がつきまとう。結果として、熱の実質的部分は車両本体の方に反射されるよりもむしろ前記シールドを通過するので、前記装置の遮蔽性能が不十分になる。
【０００８】
【発明が解決しようとする課題】
従って、本発明の基礎をなす問題は、最初に上述したタイプの遮音機能を備える熱シールドを改良することにあり、それによって、実施的に遮音効果を向上させるとともに断熱効果をも向上させることにある。
【０００９】
【課題を解決するための手段】
本発明による上記問題の本質的な解決手段は、請求項１記載された構成によって特徴づけられる。
【００１０】
本発明の好ましい実施形態及び改良は、従属請求項に記載されている。
【００１１】
本発明によれば、通常の断熱シートの内側（熱及び騒音の発生源、即ち、熱源及び騒音源に面する側）と支持下部層との間に少なくともある程度の空隙を有し、前記支持下部層の内側面に繊維フェルト等の形態をした音響吸収層が接合又は固定され、前記音響吸収層は耐熱性である。
【００１２】
本発明は、こうして、多層構造を備え、それによって、空隙が通常の断熱シートの内側内部に形成され、支持下部層が、前記断熱シートの内面の内側に配置され、前記支持下部層が前記内側の空隙を閉じている。前記支持下部層は、金属箔、金属シート、金属ガーゼ、金属網、パンチ箔、連続箔、波形又は織られた箔、有機又は無機の支持材料又はその類似物で形成することができる。
【００１３】
前記音響吸収層は、好ましくは、無機又は有機繊維フェルト又はこの類似物で形成され、前記支持下部層に直に接合される。前記音響吸収層は、クリップ手段を用いて前記支持下部層上に挟持することによって固定するか、他の機械的固定手段、例えば、釘、プラグ、螺子手段、クランプ手段、又はその類のものによって固定しても良い。
【００１４】
従って、本発明は、熱源及び騒音源は、該熱源及び騒音源近傍に配設された適切な（前記繊維フェルトの形態をした）音響吸収手段に最初に晒され、相当量の音響吸収を達成するということを教えている。この優れた音響吸収は、本発明の構成によるものである。
【００１５】
本発明のさらなる利点の一つは、熱の実質的部分が、前記音響吸収層及び前記支持下部層を通過し、それによって、断熱シートの内面に当たり、その殆どが前記内面で反射され、前記熱源及び騒音源の方へ、向きをほぼ逆に向けられるというと同時に優れた断熱性を達成するところにある。これにより、前記断熱シートは、実質的に加熱されず、ほんの僅かの熱だけが、断熱シートを通過する。
【００１６】
有機又は無機材料でできた上記繊維フェルトの代わりに、上述したタイプの支持下部層に取り付けるのに適した他の耐熱材料を使用することができ、その取り付け部材は、適切な取り付け手段によるものとすることができる。前記耐熱材料としては、例えば、無機材料（伸展されたマイカ等）、無機繊維、伸展された粘土質材料、及びこれらの類似物で形作られたものを使用することが考えられる。前記材料は、良好な音響吸収性能を持つことに加えて、少なくとも４００℃まで耐えられることが重要である。
【００１７】
この新規な熱シールドのリサイクル性を向上させるために、“第２の層”が、前記断熱シートに対して内側に配置されており、該“第２の層”は、前記支持下部層及び前記下部層に固定された前記音響吸収層で構成され、前記断熱シートに取り外し可能に取り付けられている。このような取り外し可能な取り付けは、前記断熱シート上に、前記シートの横方向に延びるラグを設けることによって容易に達成することができ、前記“第２の層”の縁領域周りに前記ラグを曲げることによって、該ラグが、前記“第２の層”に係合しこれを保持する。
【００１８】
他の実施形態によれば、例えば、クリップ、釘、プラグ、螺子等の他の取り外し可能な取り付け手段を採用することができる。
【００１９】
更に、保持手段及び取り付け手段は、アルミニウムシート（断熱シート（及び支持下部層））と前記音響吸収層との双方を介して延び、それによって、前記前記音響吸収層を支持する支持下部層が、断熱シートを車両本体に取り付けるのと同様にして、車両本体に取り付けられる。
【００２０】
前記断熱シートの係合構造に関して、本質的には、あらゆるタイプの公知の断熱シート構造を採用することができ、特に、多層薄層構造とされる。
【００２１】
【発明の実施の形態】
以下に、本発明を図面を参照してより詳細に説明する。添付図面は、可能性ある実施形態のうちの一つを図示している。
【００２２】
上記遮音機能を持つ熱シールドは、熱及び騒音発生源１（以下、“熱及び騒音源１”という。）の影響に対するシールドを付与する。
【００２３】
この目的のために、公知の構造をした断熱シート２及びその類似物が備えられ、それが、少なくともその内面、即ち熱源及び騒音源１に面した面上で、大きく熱を反射させる。この公知の形態をした公知の断熱シート２は、適切な形状をした厚みが例えば０．５〜１．５ｍｍのアルミニウムシートで構成される。
【００２４】
支持下部層３は、前記断熱シート２の内側から規定された距離で配置され、それによって空隙５が断熱シート２と支持下部層３との間に存在する。支持下部層３は、例えば厚み０．２ｍｍのアルミニウム箔で構成することができる。
【００２５】
音響吸収層４は、支持下部層３の内側に設けられる。この音響吸収層４は、例えば、材質が耐熱性の有機又は無機の繊維で形成された繊維フェルト材料で構成することができる。好ましくは、音響吸収層４は、支持下部層３に機械的に接合されている。
【００２６】
遮音機能を持つ熱シールドを容易にリサイクル出来るようにするため、断熱シート２は、音響吸収層４を支持している支持下部層３から容易に外すことができるようにしておかなければならない。従って、支持下部層３は、その縁部又はフランジ周囲に、断熱シート２の縁部にビード６（巻き込まれた縁）を形成することによって、前記断熱シート２に取り付けられ、それによって、支持下部層３の前記縁部又はフランジが、そこに挟持されることにより保持されていることが好ましい。
【図面の簡単な説明】
【図１】遮音機能を持つ熱シールドを示す断面図である。
【符号の説明】
１  熱及び騒音発生源
２  断熱シート
３  支持下部層
４  音響吸収層
【図１】
0003879091.tif 000002